(57)【特許請求の範囲】
【請求項１】
ベッドにおけるボトム上のマットレスの幅方向端面側に、サポート部を取付手段を介して設け、このサポート部は、ボトム側に面する側の前記マットレス上面より突出した上部の中心部に、マットレス上面と同等の高さの平担面を有する凹所を構成したことを特徴とするベッドにおける落下予防装置。
【請求項２】
前記凹所は、サポート部における、前記マットレス上面より突出した上部により平担面を取り囲むように形成した周壁面を有することを特徴とする請求項１記載のベッドにおける落下予防装置。
【請求項３】
前記取付手段は、サポート部を支持し、サイドフレームの付属品取付穴に着脱可能に装着してなる支柱部によって構成したことを特徴とする請求項１記載のベッドにおける落下予防装置。
【請求項４】
前記取付手段は、サポート部を支持し、ボトムに係止してなる係止部材と、この係止部材をボトムに固定してなる固定手段とを有することを特徴とする請求項１記載のベッドにおける落下予防装置。
【請求項５】
前記取付手段は、サポート部を支持する支柱部と、この支柱部末端側に、ボトムを支えるメインフレームに、着脱可能に固定してなるクランプ手段とを有することを特徴とする請求項１記載のベッドにおける落下予防装置。
【請求項６】
前記ボトムは多数の通孔を有し、前記取付手段は、サポート部を支持し、ボトムの通孔に引掛係止してなる引掛係止具によって構成したことを特徴とする請求項１記載のベッドにおける落下予防装置。
【請求項７】
前記ボトムは線体を格子状に張って構成したボトムであることを特徴とする請求項１ないし５記載のうち、いずれか１記載のベッドにおける落下予防装置。
【請求項８】
前記取付手段は、サポート部を支持し、線体を格子状に張って構成したボトムに引掛係止してなる引掛係止具によって構成したことを特徴とする請求項１記載のベッドにおける落下予防装置。
【請求項９】
前記取付手段に、固定手段を設けたことを特徴とする請求項３、６、８記載のベッドにおける落下予防装置。
【発明の詳細な説明】
【０００１】
【発明の属する技術分野】
本発明は、ベッドにおけるボトム上のマットレス側部側に配置して、落下予防機能と共に、マットレス幅方向に余裕をもたらすことのできる、ベッドにおける落下予防装置に関するものである。
【０００２】
【従来の技術】
従来からベッド、特に病院用ベッドには、落下予防用の側柵等が設けられてきた。
しかしながら、そのような側柵が床板やサイドフレーム側に設けられているといっても、完全に落下を防止できるものではなく、マットレス自体には何の支えもないので、側柵を取り付け忘れたようなときは寝返りによって落下するおそれは高い。そのために、マットレス自体に落下防止機能をもたらすものとして、マットレス幅方向側面側に当接するように配置したベッドにおける落下予防装置（サイドサポータ）が提案されている。
かかるサイドサポータによって、マットレス自体に寝返りによる落下予防用の機能をもたらすことができ、従前の課題は改善された。
【０００３】
【発明が解決しようとする課題】
反面、前記サイドサポータにより、あたかも段差のあるマットレスのごとき印象がもたらされ、床幅、すなわちマットレス幅が限定されたような窮屈感が感じられるのは否めない。
さらに、ベッド中央側面側を空けて、ベッド頭側寄りと足側寄りの箇所にサイドサポータを構成したものでは、就寝中寝返りによって、サイドサポータ間の中央箇所に、腰部から転落してしまうおそれがある。
本発明は、このような背景から提案されたものであって、サイドサポータの配置位置と、サイドサポータの形状をさらに考慮することで、落下予防機能は勿論、快適さを向上させた、ベッドにおける落下予防装置を提供することを目的とする。
【０００４】
【課題を解決するための手段】
前記した課題を解決するために、本発明では、請求項１において、ベッドにおけるボトム上のマットレスの幅方向端面側に、サポート部を取付手段を介して設け、このサポート部は、ボトム側に面する側の前記マットレス上面より突出した上部の中心部に、マットレス上面と同等の高さの平担面を有する凹所を構成したベッドにおける落下予防装置を開示する。
また本発明では、請求項２において、前記凹所は、サポート部における、前記マットレス上面より突出した上部により平担面を取り囲むように形成した周壁面を有するベッドにおける落下予防装置を開示する。
また本発明では、請求項３において、前記取付手段は、サポート部を支持し、サイドフレームの付属品取付穴に着脱可能に装着してなる支柱部によって構成したベッドにおける落下予防装置を開示する。
また本発明では、請求項４において、前記取付手段は、サポート部を支持し、ボトムに係止してなる係止部材と、この係止部材をボトムに固定してなる固定手段とを有するベッドにおける落下予防装置を開示する。
また本発明では、請求項５において、前記取付手段は、サポート部を支持する支柱部と、この支柱部末端側に、ボトムを支えるメインフレームに、着脱可能に固定してなるクランプ手段とを有するベッドにおける落下予防装置を開示する。
また本発明では、請求項６において、前記ボトムは多数の通孔を有し、前記取付手段は、サポート部を支持し、ボトムの通孔に引掛係止してなる引掛係止具によって構成したベッドにおける落下予防装置を開示する。
また本発明では、請求項７において、前記ボトムは線体を格子状に張って構成したボトムであるベッドにおける落下予防装置を開示する。
また本発明では、請求項８において、前記取付手段は、サポート部を支持し、線体を格子状に張って構成したボトムに引掛係止してなる引掛係止具によって構成したベッドにおける落下予防装置を開示する。
さらに本発明では、請求項９において、前記取付手段に固定手段を設けたベッドにおける落下予防装置を開示する。
【０００５】
請求項１によれば、凹所における平担面によって床幅が拡張したような余裕がもたらされる。
【０００６】
請求項２によれば、サポート部の上部の凹所に使用者の腰部が、寝返りなどによってはみだしてきても、平担面および周壁面によって、落下しないように支えることができる。
【０００７】
請求項３によれば、既存のベッドにも簡単にサポート部を保持することができ、落下予防と共に、マットレスの幅方向への余裕をもたらすことができる。
【０００８】
請求項４によれば、サポート部を取付手段によってボトムに直に取り付けることができ、必要に応じて取り付けたり、取り外したりすることができる。なお、サポート部の長さ寸法をボトムに合わせれば、ギャッチベッド（ボトム起伏型ベッド）に適用することも可能である。
【０００９】
請求項５によれば、サポート部を支持する支柱部をクランプ手段によってメインフレームの適所に取り付けることができる。
【００１０】
請求項６によれば、サポート部を、ボトムの通孔に、引掛係止してなる引掛係止具によって支持することができる。
【００１１】
請求項７によれば、線体を格子状に張って構成したボトムを有するベッドに装着することも可能である。
【００１２】
請求項８によれば、サポート部を、線体を格子状に張って構成したボトムに、引掛係止してなる引掛係止具によって支持することができる。
【００１３】
請求項９によれば、取付手段に固定手段を設けることにより、痴呆者などがサポート部を引き抜いてしまうようなことを防止することができる。
【００１４】
【発明の実施の態様】
次に、本発明にかかるベッドにおける落下予防装置について、実施の形態を示し、添付の図面に基づいて以下説明する。
図１に、ベッド１に落下予防用サイドサポータ２を装着したところを示す。
このサイドサポータ２は、ボトム３を支えるメインフレーム（後述）に併設したサイドフレーム４に装着してなる支柱部（後述）に支持して、ボトム３上に載置したマットレス５の幅方向端面側にサポート部６をもたらす構成としている。この場合、サポート部６は、ベッド側面中央箇所を中心として、ヘッドボード７との間、およびフットボード８との間に、若干の隙間を残してベッド側面をカバーする長さ寸法を有している。
【００１５】
前記サイドフレーム４は、メインフレーム９に溶接等によって固設され、通常の差込式側柵の支柱部（図示省略）を差し込むようにした付属品取付穴を形成する、受けパイプ１０が植設されている（図２参照）。かかる受けパイプ１０に、サイドサポータ２の支柱部１１を差し込むようにしている。
【００１６】
そして、前記サポート部６は、周知の芯材（例えばポリエステル繊維等）を表地で覆って構成したもので、サポート部６は、ボトム３側に面する側の前記マットレス５上面より突出した上部６ａの中心部に、マットレス５上面と同等の高さの平担面１２ａを有する凹所１２を構成している（図３参照）。
すなわち前記サポート部６は、ボトム３上のマットレス５側面に、隙間なく当接させてなる、平坦な下部当接面６ｂを有している。また、前記凹所１２は、サポート部６の上部６ａの長手方向に沿って延在する前記平担面１２ａと、平担面１２ａを、三方から取り囲むように形成した周壁面１２ｂを有している。なお、前記平担面１２ａの長手側両端部の箇所の周壁面１２ｂは、円弧状に形成されている。
【００１７】
以上のような落下予防用サイドサポータ２によれば、通常の側柵に置き換えて、ベッド１側面の長手方向中央を中心として、ベッド１側面をカバーするように、サイドフレーム４の受けパイプ１０に、支柱部１１を差し込んで保持することができる。
この場合、サポート部６は、ベッド１側面中央箇所を中心として、ヘッドボード７との間、およびフットボード８との間に、若干の隙間を残して、ほぼベッド１側面全体をカバーするので、通常の側柵同様、落下予防用として効果がある。
【００１８】
前記サポート部６を、下部当接面６ｂを介してマットレス５の幅方向端面に当接するように配置すると、マットレス５上面より突出した上部６ａにおける凹所１２の平担面１２ａが、マットレス５上面から、マットレス５幅方向に連続的に展開する位置にもたらされるので、あたかもマットレス５幅方向の寸法を拡張した状態となり、しかも、前記凹所１２は、サポート部６の上部６ａによって、前記平担面１２ａを取り囲むように形成した周壁面１２ｂを有しているので、かかる凹所１２に使用者の腰部が、寝返りなどによってはみ出してきても、平担面１２ａおよび周壁面１２ｂによって落下しないように支えることができる。
【００１９】
本発明にかかるベッドにおける落下予防装置は以下のように構成することもできる。
すなわち図３に示すように、このサイドサポータ２では、サポート部６の取付手段として、サポート部６に固定した、ボトム３の側面に係止させる係止部材２０と、係止部材２０をボトム３に固定する固定手段としての締付ボルト２１とよりなる構成を用いている。勿論、取付手段はこの構成に限るものではない。
【００２０】
このようにサポート部６をボトム３に取り付けたことにより、サポート部６の長さ寸法を可動ボトム（背ボトム、足ボトム）に合わせれば、ギャッチベッドへの適用も可能である。
【００２１】
また本発明にかかるベッドにおける落下予防装置は以下のように構成することもできる。
すなわち図５に示すように、このサイドサポータ２では、取付手段としてサポート部６を支持する支柱部１１末端側のクランプ手段３０を有し、このクランプ手段３０によってメインフレーム９に着脱可能に装着する構成としている。
【００２２】
かかるサイドサポータ２において、前記クランプ手段３０は、支柱部１１末端側に固設した、断面略コ型上の上枠体３１と下枠体３２とを有している。これら上枠体３１と下枠体３２とは、装着すべきメインフレーム９に、上下方向から係止するように配置している。この場合、上枠体３１と下枠体３２とは、規格化されたメインフレーム９の外形に対応した寸法としている。
また前記下枠体３２は、上枠体３１に対し締付手段３３により若干離隔した状態で上下動可能な状態で連結している。
すなわちこの締付手段３３では、ボルト３４を上枠体３１に、下枠体３２を介し挿通すると共に、先端にナット３５を螺着し、前記ボルト３４の下端側に回動可能に取り付けたカムレバー３６を、略水平方向に変位操作することで前記上枠体３１に対し下枠体３２を上動させて装着すべきメインフレーム９を、上下方向から締付ける構成である。
【００２３】
以上のようなサイドサポータ２によれば、クランプ手段３０によってサイドサポータ２を簡単に着脱可能に固定することができ、一層、取り扱い性が向上する。また、クランプ手段３０を構成する上枠体３１と下枠体３２とを、規格化されたメインフレーム９の外形に対応した寸法とすれば、既存のベッドにも容易に適用することができる。
【００２４】
また本発明にかかるベッドにおける落下予防装置は以下のように構成することもできる。
すなわち図６、図７に示すように、このサイドサポータ２では、鋼製のプレスボトム４０の通孔ｈに引掛係止してなる引掛係止具４１によってサポート部６を支持する構成としている。
この場合、この引掛係止具４１は、板金を折り曲げ加工して構成したもので、サポート部６底面からサポート部６のボトムに相対する面にかけて密接するように加工すると共に適宜な固定手段（ねじ等）によりサポート部６に固定している。そして、引掛係止具４１の先端側には、前記プレスボトム４０の通孔ｈに、プレスボトム４０の表面から通孔ｈの裏面にかけて引っ掛けるようにした鉤状部Ｆを有している。なお、前記引掛係止具４１をプレスボトム４０の通孔ｈに引っ掛けた状態で固定する固定手段（図示省略）を設けることもできる。
【００２５】
かかる構成によれば、引掛係止具４１の先端側の鉤状部Ｆを、プレスボトム４０の通孔ｈに、プレスボトム４０の表面から通孔ｈの裏面にかけて引っ掛けるだけであるから、サイドサポータ２の装着が簡単であり、しかも前記引掛係止具４１は、マットレス５下にあるので、固定手段がなくても脱落するようなことはない。
【００２６】
さらに本発明にかかるベッドにおける落下予防装置は以下のように構成することもできる。
すなわち図８に示すように、このサイドサポータ２では、線体を格子状に張って構成したボトム、いわゆるメッシュボトム５０を有するベッド１に、取り付けることも可能である。この場合、取付手段としては、サポート部６底面近傍から突設させた一対の引掛棒５１，５１を用いている。かかる引掛棒５１，５１の先端側を、メッシュボトム５０を構成する線体５０Ｌに引っ掛けてサポート部６を支持する構成である。なお、前記引掛棒５１，５１には、線体５０Ｌに固定するための固定手段を設けることもできる。
【００２７】
かかる構成によれば、引掛棒５１，５１の先端側を、メッシュボトム５０を構成する線体５０Ｌに引っ掛けてサポート部６を支持するだけであるから、サイドサポータ２の装着が簡単であり、しかも前記引掛棒５１，５１は、マットレス５下にあるので、固定手段がなくても脱落するようなことはない。
【００２８】
以上、本発明にかかるベッドにおける落下予防装置について、種々の実施の態様を示し、説明したが、図２に示すように、サイドフレーム４下面側から、受けパイプ１０に向けて、受けパイプ１０に差し込まれる支柱部１１を抜けないように固定する蝶ねじＳを設けることができる。
【００２９】
このような蝶ねじＳにより、受けパイプ１０に差し込まれる支柱部１１を抜けないように固定するようにすれば、例えば痴呆者や、子供がサポート部６を引き抜いていたずらするという行為を防止することができる。
【００３０】
【発明の効果】
以上の通り、本発明によれば、
（１）サポート部の上部側の凹所における平担面がマットレス上面から、マットレス幅方向に連続的に展開する位置にあるので、マットレスの幅を拡張したような余裕がもたらされる。
（２）サポート部の上部の凹所に使用者の腰部が、寝返りなどによってはみだしてきても、平担面および周壁面によって、落下しないように支えることができる。
（３）サイドフレームの付属品取付穴を取り付けに利用するものにあっては、既存のベッドにも簡単にサポート部を保持することができ、落下予防と共に、マットレスの幅方向への余裕をもたらすことができる。
（４）サポート部を支持する支柱部をクランプ手段によってメインフレームに取り付けるものにあっては、メインフレームの適所に取り付けることができる。
【００３１】
【図面の簡単な説明】
【図１】本発明にかかるベッドにおける落下予防装置を装着したベッドの一例を示した、外観斜視図である。
【図２】図１に示すベッドにおける落下予防装置を、ベッドに装着した構造を示す要部断面説明図である。
【図３】図１に示すベッドにおける落下予防装置の作用を説明する斜視図である。
【図４】別例にかかるベッドにおける落下予防装置を、ベッドに装着した構造を示す要部断面説明図である。
【図５】ベッドにおける落下予防装置の別の取付構造を示す、断面説明図である。
【図６】別の取付手段による落下予防装置の斜視説明図である。
【図７】図６に示す落下予防装置を、ベッドに装着した構造を示す要部断面説明図である。
【図８】線体を格子状に張って構成したボトムを有するベッドに装着する、落下予防装置の斜視説明図である。
【符号の説明】
１                      ベッド
２                      サイドサポータ
３                      ボトム
４                      サイドフレーム
５                      マットレス
６                      サポート部
６ａ                    上部
６ｂ                    下部当接面
７                      ヘッドボード
８                      フットボード
９                      メインフレーム
１０                    受けパイプ
１１                    支柱部
１２                    凹所
１２ａ                  平担面
１２ｂ                  周壁面
２０                    係止部材
２１                    締付ボルト
３０                    クランプ手段
３１                    上枠体
３２                    下枠体
３３                    締付手段
３４                    ボルト
３５                    ナット
３６                    カムレバー
４０                    プレスボトム
４１                    引掛係止具
５０                    メッシュボトム
５０Ｌ                  線体
５１                    引掛棒
ｈ                      通孔
Ｆ                      鉤状部
Ｓ                      蝶ねじ
【図１】
0003601703.tif 000002
【図２】
0003601703.tif 000003
【図３】
0003601703.tif 000004
【図４】
0003601703.tif 000005
【図５】
0003601703.tif 000006
【図６】
0003601703.tif 000007
【図７】
0003601703.tif 000008
【図８】
0003601703.tif 000009